(57)【要約】【課題】ジギングが盛んに行われている。また、特にジギングの際にはナイロンラインに替わって伸びのないＰＥラインが盛んに使われるようになってきている。従って、単独の締付ナットで締付固定したのでは緊締機能が不十分となる恐れが出てきているが、リールシート１を長尺化するのは好ましくない。【解決手段】締付固定手段として締付ナット１７とロックナット２３が併用され、ナット１７、２３のいずれか一方または両方の内方が薄肉部２１、２７になっており、そこにボディ３の雄ネジ部９に対して回転不能で直進移動可能に弛み止めリング２９が遊嵌されるよう設計されている。締付固定後は、締付ナット１７とロックナット２３は弛み止めリング２９に両側から相対しながら圧接するので弛み止め効果が発揮される。その一方で、弛み止めリング２９に外方から締付ナット１７等が被さっているので、リールシート１を長尺化せずに済む。【選択図】        図３
2010099007.tif 000002
【特許請求の範囲】
【請求項１】
一方のリール脚挿入部が設けられ、竿体に外嵌固定されるボディと、他方のリール脚挿入部が設けられ、前記ボディに対して進退移動可能に外嵌装着される筒状締付固定手段とを備え、前記ボディの外周面に形成された雄ネジ部に前記締付固定手段の内周面に形成された雌ネジ部が螺合することで前記締付固定手段が前記ボディに対して締付固定されるタイプのリールシートにおいて、
前記締付固定手段は前記雄ネジ部の形成された部分において竿先側部材と竿尻側部材とに分割され、且つ、竿先側部材または竿尻側部材のいずれか一方または両方の分割側部分の内方が前記雌ネジ部のネジ径より大径に切除された薄肉部になっており、
前記薄肉部より内方の空間では、前記ボディの雄ネジ部に対して回転不能で直進移動可能に弛み止めリングが遊嵌されており、締付固定後は、前記竿先側部材と竿尻側部材は前記弛み止めリングに両側から相対して圧接することを特徴とするリールシート。
【請求項２】
請求項１に記載したリールシートにおいて、
弛み止めリングは半径方向外方に張り出した外方フランジ部を有しており、締付固定後は、竿先側部材と竿尻側部材は前記外方フランジ部でも両側から相対して圧接することを特徴とするリールシート。
【請求項３】
請求項２に記載したリールシートにおいて、
外方フランジ部の外周面は締付固定手段の外周面より内方に後退していることを特徴とするリールシート。
【請求項４】
請求項１から３のいずれかに記載したリールシートにおいて、
締付固定手段の竿先側部材と竿尻側部材のうちリール側部材は締付ナットを備え、その余の部材はロックナットを備えており、
薄肉部は前記締付ナットの竿尻側の内方が切除されたものからなることを特徴とするリールシート。
【請求項５】
請求項４に記載したリールシートにおいて、
締付ナットの薄肉部の内周面には係止部が設けられ、弛み止めリングの外周面には前記係止部と凹凸係合可能な係止部が設けられており、前記締付ナットの螺進移動に追従して前記弛み止めリングが直進移動することを特徴とするリールシート。
【請求項６】
請求項１から５のいずれかに記載したリールシートを構成する締付固定手段。
【発明の詳細な説明】
【技術分野】
【０００１】
本発明は、リール脚を固定するリールシートおよびそれに用いる締付固定手段に関するものである。
【背景技術】
【０００２】
従来のリールシートは、合成樹脂で形成され、固定フードが設けられ、竿体に外嵌固定されるボディと、前記ボディに対して進退移動可能に装着される可動フードと、前記ボディの外周面に形成された雄ネジ部に螺合することで前記可動フードを前記ボディに対して所定位置で締付固定する締付ナットとで構成されている。
【０００３】
ところで、近年では、ジギングと呼ばれる、小魚に似せたジグ（擬似餌）を使い、海底に沈め、激しく竿をシャクリあげて魚を誘う釣り手法が盛んに行われている。特にジギングでは、擬似餌を自由に動かせることや、アタリを敏感に感じ取れる事等から、ナイロンラインに替わって伸びのないＰＥラインが盛んに使われるようになってきている。
【０００４】
【特許文献１】実公昭４９−１６４６７号公報
【発明の開示】
【発明が解決しようとする課題】
【０００５】
而して、ＰＥラインはナイロンラインよりも伸びがないのでシャクリ動作をするとその動作振動がリールに直に伝わる。従って、締付ナットに掛かる弛緩方向への回転力は大きくなっており、特に激しいシャクリ動作を行うと単独の締付ナットで締付固定したのでは緊締機能が不十分となる恐れが出てきている。
特に、リールに対してナットが竿尻側で装着される所謂アップロックタイプでは、リールを握る手は、その手の平部分から小指部分にかけて締付ナットに当たることになる。そのため、締付ナットには手からも弛緩方向への回転力が掛かることになり、緊締機能が損なわれ易い。
【０００６】
リールシートは合成樹脂製が主流になる前は金属製が殆どであり、合成樹脂と異なり弾力性による緊締機能が期待できなかったため、弛み止めについての考察は以前からなされており、例えば、特許文献１に示すように、締付ナットとロックナットとの間に弛み止めリングを介装させることで締付ナットとロックナットとの共回りを阻止することが提案されていた。
しかしながら、締付ナットを手で回して締付けるには、竿軸方向にある程度の長さ寸法を有することが必要である。また、弛み止めリングに十分な弛み止め機能を担わせるためには、ネジ幅ピッチを十分に超える長さ寸法を有することが必要である。その一方で、軽快なシャクリ動作を可能ならしめるため、リールシートの短尺化も求められている。
【０００７】
従って、特許文献１の教示を基に上記した複数の課題に安易に応えようとすると、図１１のリールシート１０１に示すように、弛め止めリング１０３の長さ寸法がネジ幅ピッチすれすれにしても、締付ナット１０５を螺進移動させて締付ける際に、指が締付ナット１０５と弛み止めリング１０３とに跨ってしまい、締付け難くなる。
それ故、本発明は、上記した複数の課題を同時に解決できる、新規且つ有用なリールシートおよびそれに用いる締付固定手段を提供することを目的とする。
【課題を解決するための手段】
【０００８】
上記課題を解決するために、鋭意研究の結果、締付固定手段を雄ネジ部の形成された部分において竿先側部材と竿尻側部材とに分割し、且つ、竿先側または竿尻側のいずれか一方または両方の部材の分割側部分の内方側を前記雌ネジ部より大径に切除された薄肉部にし、前記薄肉部の内側空間に、ボディの雄ネジ部に対して螺進移動不能で直進移動可能な弛み止めリングを遊嵌させることで、上記した課題を解決できることを思い付き、新規且つ有用な構造を案出するに至ったので、以下に記載する。
【０００９】
請求項１の発明は、一方のリール脚挿入部が設けられ、竿体に外嵌固定されるボディと、他方のリール脚挿入部が設けられ、前記ボディに対して進退移動可能に外嵌装着される筒状締付固定手段とを備え、前記ボディの外周面に形成された雄ネジ部に前記締付固定手段の内周面に形成された雌ネジ部が螺合することで前記締付固定手段が前記ボディに対して締付固定されるタイプのリールシートにおいて、前記締付固定手段は前記雄ネジ部の形成された部分において竿先側部材と竿尻側部材とに分割され、且つ、竿先側部材または竿尻側部材のいずれか一方または両方の分割側部分の内方が前記雌ネジ部のネジ径より大径に切除された薄肉部になっており、前記薄肉部より内方の空間では、前記ボディの雄ネジ部に対して回転不能で直進移動可能に弛み止めリングが遊嵌されており、締付固定後は、前記竿先側部材と竿尻側部材は前記弛み止めリングに両側から相対して圧接することを特徴とするリールシートである。
【００１０】
請求項２の発明は、請求項１に記載したリールシートにおいて、弛み止めリングは半径方向外方に張り出した外方フランジ部を有しており、締付固定後は、竿先側部材と竿尻側部材は前記外方フランジ部でも両側から相対して圧接することを特徴とするリールシートである。
【００１１】
請求項３の発明は、請求項２に記載したリールシートにおいて、外方フランジ部の外周面は締付固定手段の外周面より内方に後退していることを特徴とするリールシートである。
【００１２】
請求項４の発明は、請求項１から３のいずれかに記載したリールシートにおいて、締付固定手段の竿先側部材と竿尻側部材のうちリール側部材は締付ナットを備え、その余の部材はロックナットを備えており、薄肉部は前記締付ナットの竿尻側の内方が切除されたものからなることを特徴とするリールシートである。
【００１３】
請求項５の発明は、請求項４に記載したリールシートにおいて、締付ナットの薄肉部の内周面には係止部が設けられ、弛み止めリングの外周面には前記係止部と凹凸係合可能な係止部が設けられており、前記締付ナットの螺進移動に追従して前記弛み止めリングが直進移動することを特徴とするリールシートである。
【００１４】
請求項６の発明は、請求項１から５のいずれかに記載したリールシートを構成する締付固定手段である。
【発明の効果】
【００１５】
本発明のリールシートによれば、弛み止めリングに外方から締付用部材が被さっているので、リールシートを長尺化せずとも、リール脚を竿体に固定する際の締付固定作業を楽に行える。
【発明を実施するための最良の形態】
【００１６】
本発明の第１の実施の形態に係るリールシート１を、図１から図３に従って説明する。
図１はリールシート１の斜視図を、図２は分解斜視図をそれぞれ示す。このリールシート１は合成樹脂で構成されている。
符号３は筒状のボディを示し、このボディ３の外周面にはリール脚着座部５が形成されている。リール脚着座部５の竿先側部分は、フード状上面により上方空間が限定されて、一方のリール脚挿入部７になっている。ボディ３は竿体ｓの外周面に外嵌固定される。
ボディ３の竿尻側部分の外周面には雄ネジ部９が形成されている。また、この雄ネジ部９には竿軸方向に延びる１本のキー溝１０が凹設されている。
【００１７】
符号１１は可動筒部材を示す。この可動筒部材１１の内径はボディ３の外径より大きく設定されている。可動筒部材１１の内周面には竿軸方向に延びるキー部１３が設けられており、可動筒部材１１がボディ３に装着される際にはこのキー部１３が雄ネジ部９に形成されたキー溝１０に差込まれて係合される。従って、可動筒部材１１はボディ３に対して竿軸方向に直進移動可能で回転不能に外嵌装着される。
可動筒部材１１は竿先側に向かって上部が拡径されたフード状上面を有しており、ボディ３に装着されると、リール脚着座部５の竿尻側部分は、上記したフード状上面により上方空間が限定されて、一方のリール脚挿入部７に対向する他方のリール脚挿入部１５を形成する。
【００１８】
符号１７は締付ナットを示し、この締付ナット１７の内周面には竿先端から竿尻側に向かって雌ネジ部１９が形成されている。但し、竿尻端部分の内方は雌ネジ部１９のネジ径より若干大径になるよう切除された薄肉部２１になっている。
締付ナット１７の外周面は竿軸方向に十分な長さ寸法を有しており、手で回して規定のトルクまで締付ける際に、隣接する他の部材を触らずに済む。
【００１９】
符号２３はロックナットを示し、このロックナット２３の内周面には竿尻端から竿先側に向かって雌ネジ部２５が形成されている。但し、竿先端部分の内方は雌ネジ部２５のネジ径より若干大径になるよう切除された薄肉部２７になっている。
ロックナット２３の外周面は竿軸方向に十分な長さ寸法を有しており、手で回して規定のトルクまで締付ける際に、隣接する他の部材を触らずに済む。
【００２０】
上記した締付ナット１７の薄肉部２１とロックナット２３の薄肉部２７の内径は同じ寸法に設定されている。
薄肉部２１と薄肉部２７の竿軸方向の長さ寸法は薄肉部２１の方が若干長く設定されている。そして、薄肉部２１と薄肉部２７の竿軸方向の合計の長さ寸法（ｘ１＋ｙ１）は、後述する弛み止めリング２９の殆ど大部分を収容できるように設定されている。
薄肉部２１と薄肉部２７の肉厚寸法は、後述する圧接面積に比例する弛み止め効果を考慮して（ｗ１）に設定されている。
【００２１】
弛み止めリング２９は竿軸方向に同径に形成されており、その竿軸方向の長さ寸法は雄ネジ部９のネジ幅ピッチを十分超える程度に設定されている。
弛み止めリング２９の外径は上記した薄肉部２１、２７の内径より若干小さく設定されている。また、内径は雄ネジ部９のネジ径より若干大きく設定されている。弛み止めリング２９の内周面には竿軸方向に両端まで延びるキー部３１が形成されている。このキー部３１は上記した雄ネジ部９に凹設されたキー溝１０に差込まれて係合される。
【００２２】
従って、図３の一部断面図に示すように、弛み止めリング２９は、薄肉部２１、２７とボディ３の雄ネジ部９との間の環状の内部空間に収容されたときには、断面Ｉ字状をなして、ボディ３の雄ネジ部９に対して竿軸方向に直進移動可能であるが回転は不能に遊嵌される。
上記したように、この実施の形態では、固定締付手段は、可動筒部材１１、締付ナット１７、ロックナット２３、弛み止めリング２９の各部材により構成されており、締付ナット１７が竿先側部材に、ロックナット２３が竿尻側部材に夫々対応している。
【００２３】
リールをリールシート１に装着するときには、リール脚着座部５にリール脚（図示省略）を着座させ、その竿先側部分をリール脚挿入部７に挿入する。そして、先ずリール側部材である締付ナット１７を手で回して竿先に向かって螺進移動させ、ボディ３に対して所定のトルクで締付ける。この際、可動筒部材１１は、締付ナット１７の螺進移動に追従して竿先に向かって直進移動し、そのリール脚挿入部１５にリール脚の竿尻側部分が相対的に挿入される。従って、この締付けによりリール脚がリール脚挿入部７、１５間で挟着固定され、装着作業が終了する。
さらに、弛み止めリング２９を竿先に向かって直進移動させ、次いで、ロックナット２３を手で回して竿先に向かって螺進移動させ、所定のトルクで締付ける。これで、弛み止め作業が終了する。
【００２４】
本発明では、装着及び弛み止め作業を併せて締付固定作業としている。
上記のように締付固定作業を終了した後は、締付ナット１７の竿尻側面とロックナット２３の竿先側面の内方は弛み止めリング２９に両側から相対して適度な圧接面積で圧接している。
一方、締付ナット１７の竿尻側面とロックナット２３の竿先側面の外方側は僅かな隙間があいている。
【００２５】
リールシート１は上記したように、締付ナット１７とロックナット２３との間に弛み止めリング２９が介装されているので、締付ナット１７に対して弛緩方向の回転力が掛かっても、それが共回りしない弛み止めリング２９により受け止められ、ロックナット２３まで伝わることはない。従って、効果的に弛みが防止される。
しかも、弛み止めリング２９には締付ナット１７とロックナット２３に夫々備えられた薄肉部２１、２７が外方から被さっており、ナット１７、２３を手で掴んで回すときに、それぞれの薄肉部２１、２７の外周面も掴み部位として利用できる。従って、締付ナット１７及びロックナット２３を含む固定締付手段を長尺化せずに済む。
【００２６】
以下、別の実施の形態を説明するが、共通する箇所は同じ符号を付して説明を省略する。
【００２７】
本発明の第２の実施の形態に係るリールシート４１について、図４の一部断面図に従って説明する。
このリールシート４１の締付ナット側の薄肉部２１とロックナット側の薄肉部２７の肉厚寸法（ｗ２）は、第１の実施の形態に係る夫々の薄肉部２１と薄肉部２７の肉厚寸法（ｗ１）より小さく設定されており、その分、弛み止めリング２９の外径を大きくできている。そのため、このリールシート４１では、第１の実施の形態に係るリールシート１より弛み止めリング２９に対する締付ナット１７とロックナット２３の圧接面積が大きく確保されている。
そのため、締付ナット１７に対して弛緩方向の回転力がより大きく掛かっても、弛み止めリング２９により確実に受け止められ、より高い弛み止め効果が期待できる。
【００２８】
本発明の第３の実施の形態に係るリールシート５１について、図５の一部断面図に従って説明する。
第１の実施の形態と異なり、このリールシート５１の弛み止めリング５３の外周面の中間部分には、半径方向外方に張り出した鍔状の外方フランジ部５５が設けられており、断面Ｔ字状をなしている。そのため、このリールシート５１では、締付固定後は、締付ナット１７の竿尻側面とロックナット２３の竿先側面は夫々全面にわたって弛み止めリング５３に両側から相対して圧接することになり、第１の実施の形態に係るリールシート１より弛み止めリング５３に対する締付ナット１７とロックナット２３の圧接面積が大きく確保されている。従って、締付ナット１７に対して弛緩方向の回転力がより一層大きく掛かっても、弛み止めリング５３により確実に受け止められ、より高い弛み止め効果が期待できる。
なお、外方フランジ部５５の存在を考慮して、薄肉部２１の長さ寸法（ｘ２）と薄肉部２７の長さ寸法（ｙ２）は夫々第１の実施の形態での長さ寸法（ｘ１、ｙ１）より若干短く設定されている。
【００２９】
本発明の第４の実施の形態に係るリールシート６１について、図６の一部断面図に従って説明する。
第３の実施の形態と異なり、このリールシート６１では、締付ナット１７側にのみ薄肉部２１が形成されており、薄肉部２１の竿軸方向の長さ寸法がｘ２に設定されている。弛み止めリング６３の外周面の竿尻端部分に、半径方向外方に張り出した鍔状の外方フランジ部６５が設けられており、断面Ｌ字状をなしている。締付ナット１７は可動筒部材１１を押圧しながら締付けるため、ロックナット２３より力を込めて締め付ける必要があり、手で掴む部分がある程度長い方が力を込めて締付け易い。このリールシート６１は、この点を考慮して設計されている。
なお、このリールシート６１では、第３の実施の形態に対してロックナット２３の薄肉部２７を無くすだけの改変をして済ませているので、弛み止めリング６３の雄ネジ部９相対側の長さ寸法が相対的に短くなってネジ幅ピッチに近くなっているが、大きい回転力が掛かることが予想される場合には薄肉部２１の長さ寸法（ｘ２）をより長く設定されるよう調整することとなる。
【００３０】
本発明の第５の実施の形態に係るリールシート７１について、図７の一部断面図に従って説明する。
第４の実施の形態と異なり、このリールシート７１では、弛み止めリング６３の外周面７３が、締付ナット１７の外周面７５やロックナット２３の外周面７７から突出せず、面一となっている。
従って、外方フランジ部６５が設けられていても、グリップｇ（図１）側から締付ナット１７にかけて突出する部分が無くなるので、手をグリップｇ側からスムーズに滑動させることができる。
【００３１】
本発明の第６の実施の形態に係るリールシート８１について、図８の一部断面図に従って説明する。
第５の実施の形態と異なり、このリールシート８１では、弛み止めリング６３の外周面７３が、締付ナット１７の外周面７５やロックナット２３の外周面７７から突出せず、内方に後退している。
従って、手をグリップｇ側から滑動させる際に、外方フランジ部６５に当たらなくなり、弛み止めリング６３を締付ナット１７やロックナット２３とは別の素材で構成しても握りに違和感が出ない。
【００３２】
本発明の第７の実施の形態に係るリールシート９１について、図９の一部断面図に従って説明する。
第６の実施の形態と異なり、このリールシート９１では、弛み止めリング６３の竿先側端に、竿尻方向に向かってテーパー状に拡径しながら、半径方向外方に環状に突出した係止凸部９３が設けられている。また、締付ナット１７の薄肉部２１の内周面には、竿尻方向に向かってテーパー状に拡径しながら、半径方向外方に環状に凹んだ係止凹部９５が設けられている。そして、係止凸部９３が係止凹部９５に入り込んで凹凸係合されている。このリールシート９１によれば、締付ナット１７の螺進移動に追従して弛み止めリング６３が直進移動するので、締付固定作業が楽になる。
なお、係止部の形成部位を確保するために、薄肉部２１の長さ寸法（ｘ３）は第６の実施の形態での長さ寸法（ｘ２）より長く設定されている。
【００３３】
本発明の第８の実施の形態に係るリールシート９７について、図１０の斜視図に従って説明する。
第１の実施の形態に係るリールシート１が、リールに対して締付ナット１７が竿尻側で装着される所謂アップロックタイプであるのに対して、このリールシート９７は、リールに対して締付ナット１７が竿先側で装着される所謂ダウンロックタイプである点が異なっている。
このように、本発明はアップロックタイプにもダウンロックタイプにも適用できる。
【００３４】
以上、本発明の実施の形態を説明したが、本発明の具体的構成は上記の実施の形態に限定されるものではなく、本発明の要旨から外れない範囲での設計変更があっても本発明に含まれる。
例えば、薄肉部がロックナットに設けられた場合には、ロックナットと弛み止めリングを係合させることもできる。但し、ロックナットの締付に必要なネジ寸法、即ち雌ネジ部の竿軸方向の長さ寸法は締付ナットより短くて済むことから、リールシート全体の短尺化の要請を優先するならば、締付ナットと係合させる方が好ましい。
【００３５】
また、固定締付手段の竿先側の分割部分は、可動筒部材と締付ナットと２つの部材で構成されているが、可動筒部材と締付ナットを回動自在に係合させ、可動筒部材を締付ナットの進退に追従して移動する構成としてもよく、上記部材で夫々に担わされている機能を同時に備えた一つの部材で構成してもよい。
さらに、締付ナットやロックナットの薄肉部の肉厚寸法や長さ寸法は、各部材の素材や使用条件を考慮して、適宜設定すればよいことである。
いずれにしても、特許請求されている形状等を除いては、従来からあるまたは将来案出される形状や製造を任意に組み合わせることができる。
【産業上の利用可能性】
【００３６】
本発明のリールシートによれば、リールを装着する際の操作性を犠牲にせずに、確実な弛み止めが期待できる。従って、ＰＥラインを使用したジギングを豪快に楽しむことができる。
【図面の簡単な説明】
【００３７】
【図１】本発明の第１の実施の形態に係るリールシートの斜視図である。
【図２】図１のリールシートの分解斜視図である。
【図３】図１のリールシートの一部断面図である。
【図４】本発明の第２の実施の形態に係るリールシートの一部断面図である。
【図５】本発明の第３の実施の形態に係るリールシートの一部断面図である。
【図６】本発明の第４の実施の形態に係るリールシートの一部断面図である。
【図７】本発明の第５の実施の形態に係るリールシートの一部断面図である。
【図８】本発明の第６の実施の形態に係るリールシートの一部断面図である。
【図９】本発明の第７の実施の形態に係るリールシートの一部断面図である。
【図１０】本発明の第８の実施の形態に係るリールシートの斜視図である。
【図１１】従来品を模したリールシートの一部断面図である。
【符号の説明】
【００３８】
１‥‥リールシート（第１の実施の形態）
３‥‥ボディ                        ５‥‥リール脚着座部
７‥‥リール脚挿入部                ９‥‥雄ネジ部
１０‥‥キー溝                      １１‥‥可動筒部材
１３‥‥キー部                      １５‥‥リール脚挿入部
１７‥‥締付ナット                  １９‥‥雌ネジ部
２１‥‥薄肉部                      ２３‥‥ロックナット
２５‥‥雌ネジ部                    ２７‥‥薄肉部
２９‥‥弛み止めリング              ３１‥‥キー部
４１‥‥リールシート（第２の実施の形態）
５１‥‥リールシート（第３の実施の形態）
５３‥‥弛み止めリング              ５５‥‥外方フランジ部
６１‥‥リールシート（第４の実施の形態）
６３‥‥弛み止めリング              ６５‥‥外方フランジ部
７１‥‥リールシート（第５の実施の形態）
７３‥‥（弛み止めリング）外周面    ７５‥‥（締付ナット）外周面
７７‥‥（ロックナット）外周面
８１‥‥リールシート（第６の実施の形態）
９１‥‥リールシート（第７の実施の形態）
９３‥‥係止凸部                ９５‥‥係止凹部
９７‥‥リールシート（第８の実施の形態）
ｓ‥‥竿体                        ｇ‥‥グリップ
ｘ、ｙ‥‥薄肉部の長さ寸法        ｗ‥‥薄肉部の肉厚寸法
【図１】
2010099007.tif 000003
【図２】
2010099007.tif 000004
【図３】
2010099007.tif 000005
【図４】
2010099007.tif 000006
【図５】
2010099007.tif 000007
【図６】
2010099007.tif 000008
【図７】
2010099007.tif 000009
【図８】
2010099007.tif 000010
【図９】
2010099007.tif 000011
【図１０】
2010099007.tif 000012
【図１１】
2010099007.tif 000013